(57)【特許請求の範囲】
【請求項１】
監視画像表示器を有した監視用表示装置の前方に設置されて照明負荷の明るさを調光制御する調光操作卓と；
操作支援画面を表示するとともに前記監視画像表示器より小さい補助画像表示器を有し、前記調光操作卓の左右方向中央部でかつ前記調光操作卓を操作するオペレータの手で操作されるように前記調光操作卓の背面より前側に寄せて配置されるとともに、前記調光操作卓の上方にこの調光操作卓との間を通して前記監視画像表示器を視認できるように高さ位置を調節可能に設けられた補助コンソールと；
を具備したことを特徴とする調光操作装置。
【請求項２】
前記補助コンソールが、前記調光操作卓に設けられているコンピュータに記憶された明かりのシーンの再生順番を前記補助画像表示器に表示させる機能と、前記補助コンソールのタッチ操作により前記シーン再生順番の入替えと追加をする機能と、前記コンピュータの不具合発生に伴ってその旨を前記補助画像表示器に割り込み表示させる機能とを有しているとともに、この割り込み表示に基づいて前記コンピュータをバックアップ装置に切り替えさせる操作手段を有していることを特徴とする請求項１に記載の調光操作装置。
【請求項３】
前記補助コンソールが、このコンソールの下方を視野としてオペレータの手元を撮影するカメラと、このカメラの撮影画面を表示する他の補助画像表示器とを有していることを特徴とする請求項１又は２に記載の調光操作装置。
【発明の詳細な説明】
【技術分野】
【０００１】
本発明は、テレビスタジオ、映画スタジオ、舞台、ホールなどの明るさを制御するために用いられる調光操作装置に関する。
【背景技術】
【０００２】
従来、スポットライト等の多数の照明器具をコンピュータにより調光操作する場合に使用される調光操作卓を、左右方向に増設できるようにした技術が知られている（例えば、特許文献１参照。）。
【０００３】
又、調光操作卓の操作卓パネル面にＣＲＴやＬＥＤ等の表示装置を設けた調光操作装置も知られている。この投光操作装置が有した表示装置には、調光制御の監視画面などが操作パネル面に設けた釦の操作により表示される（例えば、特許文献２参照。）。
【特許文献１】特開２００１−５２５１１号公報（段落0006−0010、図１−図３）
【特許文献２】特開２００４−２００１２４号公報（段落0012,0027，0028、図１）
【発明の開示】
【発明が解決しようとする課題】
【０００４】
例えばテレビスタジオの照明制御をする調光操作卓は、通常コンピュータを備えていて、監視画像表示器を有した監視用表示装置の前方に設置して使用される。調光操作卓は、その操作パネル面のフェーダ等を操作してリハーサルで決めた明かりをシーン別にコンピュータに記憶させて置き、そのシーンをオンエアの時に再生するとともに、この再生時に必要に応じてオペレータのフェーダ操作等によりスタジオでの照明負荷（照明器具）の明るさを修正する等の制御を担っている。オペレータはテレビ番組毎に異なり、前記修正操作は、固定して設置された監視表示装置の監視画像表示器を視認して行われる。
【０００５】
特許文献１の技術では、テレビ番組作成中の画面が表示される監視画像表示器の画像のみから情報を取得して調光操作ができるに過ぎず、シーンの再生順番やコンピュータに不具合が発生した場合の緊急表示等の操作支援画面を得て、操作ができるものではない。しかも、調光操作卓を増設するほど左右方向に長くなるので、仮に、調光操作卓の長手方向一端部で緊急表示等の操作支援画面を表示する構成とした場合、この表示部と通常調光操作卓の長手方向の中央部に居るオペレータとの距離がますます隔たって、緊急表示等を視認し難くなる。このため、緊急表示が出た時には、少なくとも表示部がある位置までオペレータが移動する必要があるので、緊急表示に対応する操作を即座にすることができないので、操作性上好ましくない。
【０００６】
特許文献２の技術では、ＬＣＤなどの表示装置が調光操作卓に対してどのように設けられているのかについては記載がない。仮に、調光操作卓の操作パネル面に画面が位置するように表示装置が設けられているとすれば、その画面に視線を落して明るさ修正をするために、テレビ番組作成中の画面が表示される監視用表示装置の監視画像表示器から視線を外さなければならない。又、調光操作卓の操作パネル面上に突出した状態に表示装置が設けられているとすれば、通常かなりの大きさを占める表示装置が邪魔になって監視用表示装置の監視画像表示器を視認し難くなることに伴い調光操作卓の操作性が低下する。
【０００７】
本発明の目的は、操作性及び監視用表示装置の監視画像表示器の視認性を向上できる調光操作装置を提供することにある。
【課題を解決するための手段】
【０００８】
請求項１の発明は、監視画像表示器を有した監視用表示装置の前方に設置されて照明負荷の明るさを調光制御する調光操作卓と；操作支援画面を表示するとともに前記監視画像表示器より小さい補助画像表示器を有し、前記調光操作卓の左右方向中央部でかつ前記調光操作卓を操作するオペレータの手で操作されるように前記調光操作卓の背面より前側に寄せて配置されるとともに、前記調光操作卓の上方にこの調光操作卓との間を通して前記監視画像表示器を視認できるように高さ位置を調節可能に設けられた補助コンソールと；を具備している。
【０００９】
この発明で、監視画像表示器及び補助画像表示器には、ＣＲＴやＬＥＤ等の画像表示装置を用いることができる。この発明で、補助画像表示器は補助コンソールに１台以上設けられる。この発明で、補助コンソールの高さ位置は手動操作で調節されても、或いは電動機の動力を用いてこの電動機の制御により自動で調節されてもよい。
【００１０】
この発明で、補助コンソールの高さ位置を調節する手段としては可動する支柱を用いることが好ましい。可動する支柱は実施形態で説明するものに限らない。例えば、調光制御卓の左右（幅）方向両端部に電動機の制御により上下方向に同期して移動可能に設けられた２本の昇降支柱であってもよい。この場合、これら２本の昇降支柱に渡って支持棒を取付けて、この支持棒に補助コンソールを支持させればよく、そのため、オペレータによる監視画像表示器の視認が昇降支柱で妨げられないようにできる点で好ましい。
【００１１】
この発明は、補助コンソールを調光操作卓の左右（幅）方向に移動可能に設けること、及び補助コンソールを左右又は上下方向の少なくともいずれかに首振り可能に設けることを妨げるものではなく、このようにする場合には様々な体形のオペレータに対する補助コンソールの配置の適合性を向上できる点で好ましい。又、この発明で、補助コンソールを前後方向に移動しないように設ける場合には、監視用表示装置に向かう押圧力を受けて補助コンソールが操作されることがあっても、補助コンソールが監視用表示装置側に逃げ動くことがないので、補助コンソールに対する押圧操作を確実に実行させることができる点で好ましい。
【００１２】
この発明で、補助画像表示器に表示される「操作支援画面」とは、調光操作卓の操作性の向上に寄与する情報を表した画面を指し、例えばシーン再生順番の確認画面、調光操作卓に設けられているコンピュータに不具合が発生した場合に、その旨を報知するために警報画面、補助コンソールにカメラを搭載した場合に、このカメラでオペレータの手元を撮影した情報を表した監視画面、スタジオ等の照明場所に設置されたスタジオ監視カメラの撮影情報を表した監視画面などを挙げることができる。
【００１３】
オペレータとその正面の監視画像表示器との間に配置される請求項１の発明の調光操作装置が備える補助コンソールは、オペレータの体形に応じて調光操作卓との間を通して監視画像表示器を容易に視認できるように高さ位置を調節して配置できる。これにより、殆どの場合、調光操作卓の左右方向中央部に相当する操作ポジションで調光操作装置を操作するオペレータにとっての監視画像表示器の視認性を向上できる。更に、前記操作ポジションにおいてオペレータは、その正面方向への視線を殆ど上下左右に動かすことなく、前後にずれて位置されている監視画像表示器と補助コンソールの補助画像表示器とを視認できる。したがって、オペレータは補助画像表示器に映し出されている操作支援画面と監視画像表示器に映し出されている情報を表した画面とを同時に見ながら、調光操作卓を容易に操作できるとともに、手が届く範囲に配置されている補助コンソールも容易に操作することができる。
【００１４】
請求項２の発明は、前記補助コンソールが、前記調光操作卓に設けられているコンピュータに記憶された明かりのシーンの再生順番を前記補助画像表示器に表示させる機能と、前記補助コンソールのタッチ操作により前記シーン再生順番の入替えと追加をする機能と、前記コンピュータの不具合発生に伴ってその旨を前記補助画像表示器に割り込み表示させる機能とを有しているとともに、この割り込み表示に基づいて前記コンピュータをバックアップ装置に切り替えさせる操作手段を有していることを特徴としている。
【００１５】
この発明で、バックアップ装置は、コンピュータ又はメモリ媒体等で形成されるが、調光操作卓が備えていてもよいし、或いは、調光操作卓とは別の場所に設置されたものであってもよい。又、この発明で、操作手段は、補助コンソールの前面部に設けられた押釦スイッチのような切換えスイッチで形成できる他、割り込み表示画面をタッチスイッチとして構成し、これをタッチすることにより常用のコンピュータからバックアップ装置に切替えるようにしてもよい。
【００１６】
請求項２の発明で、補助コンソールの補助画像表示器には、通常、シーン再生順番の確認画面が表示されているので、オペレータは、補助画像表示器の画面上のシーンの順番を視認することで次のシーンを確認しながら、監視画像表示器の表示画面に基づいて調光操作卓を操作できる。この場合、オペレータは、監視画像表示器を視認しつつ、必要に応じて補助画像表示器をタッチ操作してシーン再生順番の入替えと新たなシーンの追加を適宜することができる。又、コンピュータに不具合が発生した場合には、そのときに補助画像表示器に表示されている画面に変えて、コンピュータに不具合が発生した旨を報知させる警報画面が表示される。したがって、この割り込み表示の視認によってオペレータは、遅滞なく手近に位置している補助コンソールの操作手段を速やかに操作できる。それにより、不具合の生じたコンピュータからバックアップ装置に切換えて、照明環境が暗転するという不具合を回避させて調光操作を継続できる。
【００１７】
請求項３の発明は、前記補助コンソールが、このコンソールの下方を視野としてオペレータの手元を撮影するカメラと、このカメラの撮影画面を表示する他の補助画像表示器とを有していることを特徴としている。
【００１８】
請求項３の発明では、調光操作卓を操作しているオペレータの手元を上方から撮影した情報を補助コンソールが有した他の補助画像表示器に表示できるので、その画面をオペレータが視認することで調光操作卓の操作状況を調光操作卓に視線を落すことなく確認しつつ、調光操作ができる。
【発明の効果】
【００１９】
請求項１の発明によれば、操作性及び監視用表示装置の監視画像表示器の視認性が向上された調光操作装置を提供できる。
【００２０】
請求項２の発明によれば、補助コンソールの補助画像表示器の画面上に表示されたシーンの順番を画面上で確認しながら、監視画像表示器の表示画面に基づいて調光操作卓を操作できるとともに、必要に応じてシーン再生順番の入替えと新たなシーンの追加を補助画像表示器のタッチ操作により行えるので、操作性が向上された調光操作装置を提供できる。更に、請求項２の発明によれば、コンピュータに不具合が発生した場合に、その旨を報知させる警報画面を補助画像表示器の画面上に割り込み表示させるとともに、前記不具合への対策を補助コンソールの操作手段を操作して速やかに講じることができるので、操作性が向上された調光操作装置を提供できる。
【００２１】
請求項３の発明によれば、調光操作卓に視線を落すことなく、補助コンソールが有した他の補助画像表示器で調光操作卓の操作状況を確認しつつ調光操作ができるので、操作性が向上された調光操作装置を提供できる。
【発明を実施するための最良の形態】
【００２２】
図１〜図６を参照して本発明の一実施形態を説明する。
【００２３】
図１中符号１は監視用表示装置を示し、符号１１は調光操作装置を示している。これらはテレビ局のスタジオとは別に設けられている副調整室に設置されている。スタジオには、その天井部に多数の照明器具（照明負荷）が設置されているとともに、スタジオの床面に沿って任意に移動させることができる複数台のテレビカメラが設けられているだけではなく、スタジオ監視カメラと、操作盤撮影カメラとが設けられている。スタジオ監視カメラはスタジオ全域を撮影する。操作盤撮影カメラは、スタジオ内天井部の照明器具を昇降させる指示をする昇降操作盤付近、又はスタジオ内で調光操作の補助を行う調光操作補助装置付近を撮影する。
【００２４】
監視用表示装置１は、テレビ番組作成中の画像を表示する監視画像表示器２と、前記各テレビカメラが撮影した画像をこれらテレビカメラ毎に表示する複数のカメラ画像表示器３等を有している。監視画像表示器２は調光操作装置１１をその幅（左右）方向中央位置で主として操作するオペレータの正面位置に配置され、この監視画像表示器２より上側に各カメラ画像表示器３が左右方向に並べて配置されている。監視画像表示器２及び各カメラ画像表示器３はＣＲＴやＬＥＤ等の画像表示装置で形成されている。
【００２５】
調光操作装置１１は、調光操作卓１２と、補助コンソール２１とを備えている。調光操作装置１１は監視用表示装置１の前方に７０ｃｍ〜１ｍの間隔を開けて設置されている。この調光操作装置１１の左右方向の長さ（幅寸法）は通常２ｍ〜３ｍである。調光操作装置１１のオペレータＡ（図３に示す。）は、主として調光操作装置１１の左右方向の中央部に位置して調光操作装置１１を操作する。
【００２６】
調光操作卓１２の操作パネル面１２ａには、周知の操作子、例えばフェーダ、ウィール、各種スイッチ等が設けられている。調光操作卓１２の背面側部位は隆起しており、この隆起部の前面にはレベルインディケーター１２ｂが設けられている。このレベルインディケーター１２ｂには、各照明器具の状況、つまり、点灯の有無が表示されるとともに、点灯された各照明器具についての明るさのレベルが例えば棒グラフ状のイメージとして視認できるように表示される。
【００２７】
調光操作卓１２には図示しないが２台のコンピュータが内蔵されている。これらのコンピュータは、夫々単独で調光操作装置１１全般の調光動作を制御できるものであり、一方のコンピュータは常用のものであり、他方のコンピュータは常用コンピュータに不具合が発生した場合にそれに取って代わって使用されるバックアップ装置である。なお、バックアップ装置としては、コンピュータ以外のメモリ媒体を用いることが可能であるとともに、バックアップ装置は信号線を介して調光操作卓１２に接続されて調光操作卓１２の外部に設置してもよい。
【００２８】
調光操作卓１２には補助コンソール支持装置１５を介して補助コンソール２１が支持されている。好ましい例として補助コンソール支持装置１５は、補助コンソール２１の位置を、オペレータＡの身長などの体形に適合させて上下方向、左右方向、及び前後方向にも調節できる構成のものが使用されている。
【００２９】
図４に例示したように補助コンソール支持装置１５は、ガイド１６と支柱１７とを具備している。
【００３０】
具体的には、ガイド１６は、左右方向に延びていて、その両端部がブラケット１８を介して調光操作卓１２の上部背面に連結されている。このガイド１６は、角棒状であり、調光操作卓１２の左右（幅）方向略全長にわたる長さを有している。
【００３１】
支柱１７は、支柱基部１７ａとこれに下端が連結された柱部１７ｂとで形成されていて、柱部１７ｂの先端部に補助コンソール２１が支持されている。支柱基部１７ａは、角孔を有した筒状をなしていて、ガイド１６の外周に摺動自在に嵌合されている。したがって、支柱１７は、ガイド１６の軸周りに沿って回転することがなく、このガイド１６の長手方向に沿って移動できる。
【００３２】
この移動は、オペレータＡが支柱１７を側方から手で押すことによりなされる。それにより、補助コンソール２１を調光操作卓１２の長手方向、つまり幅方向の任意位置に移動させることができる。任意の移動位置で支柱１７から手を離して支柱１７を押し動かす力を解除すると、補助コンソール２１と支柱１７との自重に基づく支柱基部１７ａとガイド１６との嵌合部での摩擦力で、補助コンソール２１と支柱１７とが静止状態に保持されるものである。
【００３３】
こうした補助コンソール２１の左右方向への移動調節で、補助コンソール２１は調光操作卓１２に対し任意位置に配置されるが、後述のように補助コンソール２１はそれを視認及び操作をオペレータＡにより受けるので、こうしたことができる位置、一般的には調光操作卓１２の左右方向に中央部に対応する位置に配置されるものである。なお、ガイド１６は調光操作卓１２の左右方向に中央部に限って補助コンソール２１の移動を制限する長さと位置に設けてもよい。
【００３４】
柱部１７ｂは、オペレータＡの手で加えられる力によって変形可能に作られているが、補助コンソール２１の自重では変形しない強度を有している。柱部１７ｂは図３に示すように、その前方に指向して、言い換えればオペレータＡに向けて曲がっていて、その前向きの先端部は調光操作卓１２の操作パネル面１２ａの上方に配置されている。したがって、この先端部に連結された補助コンソール２１は、調光操作卓１２の背面より前方に寄せて、かつ、操作パネル上にこれから上方に離れて配置されている。
【００３５】
そのため、補助コンソール２１を上側又は下側に移動するように柱部１７ｂを変形させる操作をすることにより、操作パネル面１２ａに対する補助コンソール２１の配置を上下方向に調節できる。この調節で、図３に示すように補助コンソール２１とその下方の調光操作卓１２との間を通して前記監視画像表示器２を視認できるとともに、その時のオペレータＡの視線Ｂと、この視線Ｂを中心とする視野範囲内でかつ視線Ｂに極力近づいた位置に補助コンソール２１が位置されるように補助コンソール２１を配置できる。これとともに、補助コンソール２１を前側又は後側に移動するように柱部１７ｂを変形させる操作をすることにより、オペレータＡに対する補助コンソール２１の配置を前後方向に調節できる。この調節で、補助コンソール２１をそれにオペレータＡの手が容易に届く範囲に配置できる。
【００３６】
図２に示すように補助コンソール２１は、補助画像表示器である第１の補助画像表示器２２と、他の画像表示器である第２の補助画像表示器２３と、操作手段として例えば押釦２４とを有している。これらは補助コンソール２１の操作面２１ａ（図３参照）に左右方向に並べて設けられている。第１の補助画像表示器２２と第２の補助画像表示器２３は、ＣＲＴやＬＥＤ等の画像表示装置で形成されているが、いずれも監視画像表示器２及びカメラ画像表示器３より小さく、補助コンソール２１の視認性を維持しつつ補助コンソール２１を極力小形にするために画面サイズが８インチないし１１インチのものを好適に使用できる。
【００３７】
図３に示すように補助コンソール２１はひさし状部２１ｂを有し、これは操作面２１ａの上側から前方に突出している。図２に示すようにひさし状部２１ｂには、その長手方向両端側に寄せてＬＥＤ等を光源とする投光器２５が取付けられているとともに、これらの間に位置してカメラ２６が取付けられている。投光器２５は補助コンソール２１の下方のオペレータＡの手元を照明視野とし、同様にカメラ２６は補助コンソール２１の下方のオペレータＡの手元を撮影視野としている。
【００３８】
補助コンソール２１は、リハーサルに基づいて調光操作卓１２のコンピュータに既に記憶されている明かりのシーンの再生順番を第１の補助画像表示器２２に表示させる第１の機能を有している。この機能により表示された再生順番確認画面を図６（Ｂ）に示し、同画面中「ＣＭ１」「ＣＭ８」「Ｓ１１」「Ｓ１２１」は、全てスタジオ内での明るさのシーンを再生順に示している。この第１の表示機能による画面は、通常第１の補助画像表示器２２に表示されるとともに、シーンの進行に伴いスクロール表示される。したがって、オペレータＡは、第１の補助画像表示器２２の画面上のシーンの順番を予め視認することで次のシーンを確認しながら、第１の監視画像表示器２２の表示に基づいて調光操作卓１２を操作できる。これにより、調光操作装置１１の運用効率を向上できるとともに、誤操作を抑制するに貢献できる。
【００３９】
補助コンソール２１は、図６（Ｂ）で代表されるシーン再生順表示画面を変更させる第２の機能を有している。ここに、シーン再生順表示の変更とは、シーン再生順番の入替えと新たなシーンを追加することを含んでいる。この機能を指示する変更操作は、テレビ番組作成中に例えば第１の補助画像表示器２２の画面をタッチ操作することで行うようになっている。なお、この機能により変更された内容はコンピュータに取り込まれる。以上のようにオペレータＡは、第１の補助画像表示器２２のシーン再生順表示を視認しつつ、必要に応じて第１の補助画像表示器２２の画面をタッチ操作してシーン再生順番の入替えと新たなシーンの追加をできるので、テレビ番組作成中の瞬時修正作業を実現できる。それにより、調光操作装置１１の運用効率を向上できる。
【００４０】
補助コンソール２１は、第１の補助画像表示器２２に種々の警報画面を表示させる第３の機能を有している。ここに、警報とは、常用のコンピュータに不具合が発生した時に、その旨の報知をすること、例えばブレーカが落ちて電力の供給が断たれた場合、漏電を発生した、調光装置の温度が異常に上昇したなど調光装置の不具合が発生した時に、その旨の報知をすること等を指している。この警報画面は、第１の補助画像表示器２２に通常表示されているシーン再生順番の表示画面に代えて第１の補助画像表示器２２に表示される。つまり、第３の機能が発揮された時には当該警報表示が第１の補助画像表示器２２に割り込み表示される。第１の補助画像表示器２２に表示された警報表示画面の一例を図６（Ａ）に示す。なお、警報画面には、その警報の原因に対する必要な対処法を説明した対処表示２２ａが表示される。
【００４１】
この警報表示に対応するために押釦２４が設けられている。その内の一つの押釦２４ａ（図３参照）は、コンピュータの不具合対処用であり、この押釦２４ａが押されることにより、常用コンピュータがバックアップ用コンピュータに切換えられる。この場合、既述のように通常は調光操作卓１２の左右方向中央部に位置してこの調光操作卓１２を操作するオペレータＡの略正面で、かつ手が届く範囲に補助コンソール２１が配置されている。このため、コンピュータの不具合発生等の緊急時に、オペレータＡは例えば押釦２４ａを押す等の対応操作を素早く実行することが可能である。このため、不具合回避の即応性が高まり、運用の安全性を向上できる。
【００４２】
補助コンソール２１は、カメラ２６が撮影した画像を第２の補助画像表示器２３に表示させる第４の機能を有している。この機能によって、調光操作卓１２を操作しているオペレータＡの手元の画像を、第２の補助画像表示器２３に表示させることができ、その表示画面の一例を図５（Ｂ）に示す。カメラ２６の画像は常時第２の補助画像表示器２３に表示されるようになっている。
【００４３】
したがって、調光操作卓１２の操作パネル面１２ａに視線を落すことなく、手元での操作状況をオペレータＡの正面部に位置する第２の補助画像表示器２３で確認できる。言い換えれば、監視画像表示器２から目を離さずに調光操作を確認できる。このようにオペレータＡにとって略正面に位置した補助コンソール２１の画像と監視画像表示器２の画像とを略同一視線で見ながら調光操作ができるので、調光の操作ミスを減らすことができると共に、調光の操作性を向上できる。
【００４４】
なお、この場合、投光器２５でオペレータＡの手元が照明されているので、見やすい画面を第２の補助画像表示器２３に表示できるが、本発明では投光器２５は省略することも可能である。なお、投光器２５での照明は、投光器２５用の押釦の操作によって任意に消灯させることができる。
【００４５】
補助コンソール２１は、前記スタジオ監視カメラが撮影した画像を第２の補助画像表示器２３に表示させる第５の機能を有している。この機能は、それ用の押釦２４の操作により発揮及び消失される。機能が発揮されたときには、第２の補助画像表示器２３に表示されているカメラ映像から切換わってスタジオ内の映像が割り込み表示され、機能が消失したときにはカメラ２６が撮影した画像が第２の補助画像表示器２３に表示される。第２の補助画像表示器２３に表示されたスタジオ内の監視画像の一例を図５（Ａ）に示す。
【００４６】
このようにスタジオ内を遠隔的に監視できるので、リハーサルで作成した明るさのシーンを再現した場合の状況を確認できる。この場合、スタジオ内のテレビカメラに頼ることなく自己完結的に実現できるので、テレビカメラを損傷に至らしめる恐れがないとともに、カメラマンの手を煩わせることがない点で好ましい。
【００４７】
図２及び図３等に示すように補助コンソール２１は送受話ができるインカム用のマイクロフォン２７を有していると共に、補助コンソール２１は音声認識機能を有している。マイクロフォン２７を通して、テレビ番組作成中に、第２の補助画像表示器２３に表示されたスタジオ内の監視画像に基づき、オペレータＡは、例えばスタジオ内の照明関係者との通話による連絡を行うことができる。このため、テレビ番組作成中などにおける明るさの制御に関する運用が円滑になされ、効率を向上できる。更に、例えばリハーサル時に設定したシーンをコンピュータに記憶させる場合には、マイクロフォン２７を通して指示されたオペレータＡの音声を認識して、その音声による指示内容にしたがって設定されたシーンをコンピュータに記憶させることができる。これにより、シーンをコンピュータに記憶させる仕込み作業が簡略化されて、仕込み時間を短縮できる。つまり、仕込み作業を向上できる。
【００４８】
以上説明したように調光操作卓１２の上方に位置した補助コンソール２１は、支柱１７の柱部１７ｂを手で変形させて上下に高さ位置を調節できる。このため、番組対応でオペレータＡが変更された時に、そのオペレータＡの背の高さ等の体形に応じて補助コンソール２１の高さ位置を調節することにより、調節された補助コンソール２１とその下方の調光操作卓１２との間を通してオペレータＡに対して略正面の監視画像表示器２を容易に視認できるように補助コンソール２１を適正位置に配置できる。
【００４９】
この場合、補助コンソール２１が小形であるとともに、補助コンソール支持装置１５の支柱１７の幅が狭いので、これらが、監視画像表示器２をオペレータＡが視認する上で大きな妨げとなることがなく、監視画像表示器２を視認するのに、オペレータＡが身体を大きく動かしたりする必要がない。したがって、殆どの場合、調光操作卓１２の左右方向中央部に相当する操作ポジションで調光操作装置１１を操作する様々なオペレータＡにとっての監視画像表示器２の視認性を向上できる。
【００５０】
更に、前記操作ポジションにおいてオペレータＡは、その正面方向への視線を殆ど上下左右に動かすことなく、前後にずれて位置されている監視画像表示器２と補助コンソール２１の第１の補助画像表示器２２及び第２の補助画像表示器２３とを視認できる。したがって、オペレータＡは補助画像表示器に通常映し出されている操作支援画面、つまり、第１の補助画像表示器２２に表示されているシーン再生順確認画面、及び第２の補助画像表示器２３に表示されている手元確認画面と、監視画像表示器２に映し出されている番組作成中の画面とを同時に見ながら、調光操作卓１２を容易に操作できるとともに、手が届く範囲に配置されている補助コンソール２１も既述のように容易に操作できる。
【００５１】
又、既述のようにオペレータＡは、その正面方向への視線を殆ど上下左右に動かすことなく、監視画像表示器２とともに補助コンソール２１の第１の補助画像表示器２２及び第２の補助画像表示器２３を視認できるので、第１の補助画像表示器２２に割り込み表示される各種の警報画面の監視が容易となる。したがって、それに対する即時対応も可能となるので、調光操作装置１１の運用効率を向上できる。
【図面の簡単な説明】
【００５２】
【図１】本発明の一実施形態に係る調光操作装置を監視画像表示装置と共に示す斜視図。
【図２】図１の調光操作装置を示す正面図。
【図３】図１の調光操作装置を示す側面図。
【図４】図１の調光操作装置の上部を示す背面図。
【図５】（Ａ）（Ｂ）は図１の調光操作装置が備える補助コンソールの第２の補助画像表示器に表示される夫々異なる表示画面を示す図。
【図６】（Ａ）（Ｂ）は図１の調光操作装置が備える補助コンソールの第１の補助画像表示器に表示される夫々異なる表示画面を示す図。
【符号の説明】
【００５３】
１…監視用表示装置、２…監視画像表示装置、３…カメラ画像表示装置、１１…調光操作装置、１２…調光操作卓、１２ａ…操作パネル面、Ａ…オペレータ、１５…補助コンソール指示装置、１７…支柱、２１…補助コンソール、２２…第１の補助画像表示器（補助画像表示器）、２３…第２の補助画像表示器（他の補助画像表示器）、２４…押釦（操作手段）、２５…投光器、２６…カメラ。
【図１】
0004513721.tif 000002
【図２】
0004513721.tif 000003
【図３】
0004513721.tif 000004
【図４】
0004513721.tif 000005
【図５】
0004513721.tif 000006
【図６】
0004513721.tif 000007